(57)【要約】      （修正有）【課題】  効果的に光源の均一性を向上させることが可能な冷陰極フラット型蛍光ランプ（ＣＣＦＦＬ）と、冷陰極フラット型蛍光ランプのパターン電極とを提供すること。【解決手段】  パターン電極３０６，４００は、交互に配置されたアノードペア４００とカソードペア４２０とを備えている。前記アノードペアの各々は、複数の第１突出部Ｐ１を有する第１蛇行アノード４１２と、複数の第２突出部Ｐ２を有する第２蛇行アノード４２４とを備え、前記第１突出部と前記第２突出部とはずらされている。前記カソードペアの各々は、複数の第３突出部Ｐ３を有する第１蛇行カソード４２２と、複数の第４突出部Ｐ４を有する第２蛇行カソード４１４とを備えている。前記第３突出部の各々は前記第２突出部の各々と位置合わせしており、前記第４突出部の各々は前記第１突出部の各々と位置合わせしている。【選択図】  図４
2006032330.tif 000002
【特許請求の範囲】
【請求項１】
フラット型ランプチャンバと、
前記フラット型ランプチャンバ内に入れた放電ガスと、
前記フラット型ランプチャンバ内に配置した蛍光体と、
前記フラット型ランプチャンバの表面上に配置したパターン電極とを備える冷陰極フラット型蛍光ランプであって、
前記パターン電極は、交互に配置された複数のアノードペアと複数のカソードペアとを備え、
前記アノードペアの各々は、複数の第１突出部を有する第１蛇行アノードと、複数の第２突出部を有する第２蛇行アノードとを備え、
前記カソードペアの各々は、複数の第３突出部を有する第１蛇行カソードと、複数の第４突出部を有する第２蛇行カソードとを備え、
前記第１突出部と前記第２突出部とはずらされており、前記第３突出部の各々は前記複数の第２突出部の内の一つの第２突出部と位置合わせしており、前記第４突出部の各々は前記複数の第１突出部の内の一つの第１突出部と位置合わせしていることを特徴とする冷陰極フラット型蛍光ランプ。
【請求項２】
前記フラット型ランプチャンバの前記表面は、該フラット型ランプチャンバの外表面であることを特徴とする請求項１に記載の冷陰極フラット型蛍光ランプ。
【請求項３】
前記フラット型ランプチャンバの前記表面は、該フラット型ランプチャンバの内表面であることを特徴とする請求項１に記載の冷陰極フラット型蛍光ランプ。
【請求項４】
前記パターン電極はフレキシブルプリント回路であることを特徴とする請求項１乃至３のいずれか一つに記載の冷陰極フラット型蛍光ランプ。
【請求項５】
前記アノードペアの各々の、同一の極性の電極である前記第１蛇行アノードと前記第２蛇行アノードとの間の間隔は、約１ｍｍから約３ｍｍであることを特徴とする請求項１乃至４のいずれか一つに記載の冷陰極フラット型蛍光ランプ。
【請求項６】
前記カソードペアの各々の、同一の極性の電極である前記第１蛇行カソードと前記第２蛇行カソードとの間の間隔は、約１ｍｍから約３ｍｍであることを特徴とする請求項１乃至５のいずれか一つに記載の冷陰極フラット型蛍光ランプ。
【請求項７】
異なる極性の電極の前記第２突出部と第３突出部との間の間隔と、異なる極性の電極の前記第１突出部と第４突出部との間の間隔とは、約４ｍｍから約８ｍｍであることを特徴とする請求項１乃至６のいずれか一つに記載の冷陰極フラット型蛍光ランプ。
【請求項８】
前記第１突出部、前記第２突出部、前記第３突出部、および前記第４突出部の突出高さは、約０．５ｍｍから約２ｍｍであることを特徴とする請求項１乃至７のいずれか一つに記載の冷陰極フラット型蛍光ランプ。
【請求項９】
前記第１突出部、前記第２突出部、前記第３突出部、および前記第４突出部のそれぞれは、等間隔で配置されていることを特徴とする請求項１乃至８のいずれか一つに記載の冷陰極フラット型蛍光ランプ。
【請求項１０】
前記第１突出部、前記第２突出部、前記第３突出部、および前記第４突出部のそれぞれの間隔は、約３ｍｍから約６ｍｍであることを特徴とする請求項９に記載の冷陰極フラット型蛍光ランプ。
【請求項１１】
前記第１突出部、前記第２突出部、前記第３突出部、および前記第４突出部のそれぞれは、異なる間隔で配置されていることを特徴とする請求項１乃至８のいずれか一つに記載の冷陰極フラット型蛍光ランプ。
【請求項１２】
第１部分における前記第１突出部、前記第２突出部、前記第３突出部、および前記第４突出部のそれぞれの間隔は、約３ｍｍから約６ｍｍであり、第２部分における前記第１突出部、前記第２突出部、前記第３突出部、および前記第４突出部のそれぞれの間隔は、約２ｍｍから約４ｍｍであることを特徴とする請求項１１に記載の冷陰極フラット型蛍光ランプ。
【請求項１３】
前記第１突出部、前記第２突出部、前記第３突出部、および前記第４突出部のそれぞれの電極機能幅は、約０．５ｍｍから約２ｍｍであることを特徴とする請求項１乃至１２のいずれか一つに記載の冷陰極フラット型蛍光ランプ。
【請求項１４】
前記第１突出部、前記第２突出部、前記第３突出部、および前記第４突出部のそれぞれの電極開口最大幅は、約１ｍｍから約４ｍｍであることを特徴とする請求項１乃至１３のいずれか一つに記載の冷陰極フラット型蛍光ランプ。
【請求項１５】
前記アノードペアおよび前記カソードペアの端部に結合した複数の縁部突出部をさらに備え、前記縁部突出部の突出高さは、前記第１突出部、前記第２突出部、前記第３突出部、および前記第４突出部の突出高さよりも高いことを特徴とする請求項１乃至１４のいずれか一つに記載の冷陰極フラット型蛍光ランプ。
【請求項１６】
前記縁部突出部の前記突出高さは、約１ｍｍから約３ｍｍであることを特徴とする請求項１５に記載の冷陰極フラット型蛍光ランプ。
【請求項１７】
前記パターン電極は、前記アノードペアの各々に電気的に接続されたアノード接続線と、前記カソードペアの各々に電気的に接続されたカソード接続線とをさらに備え、前記アノード接続線と前記カソード接続線とは、前記アノードペアと前記カソードペアとのそれぞれの両端に設けられていることを特徴とする請求項１乃至１６のいずれか一つに記載の冷陰極フラット型蛍光ランプ。
【請求項１８】
交互に配置された複数のアノードペアと複数のカソードペアとを備え、
前記アノードペアの各々は、複数の第１突出部を有する第１蛇行アノードと、複数の第２突出部を有する第２蛇行アノードとを備え、
前記カソードペアの各々は、複数の第３突出部を有する第１蛇行カソードと、複数の第４突出部を有する第２蛇行カソードとを備え、
前記第１突出部と前記第２突出部とはずらされており、前記第３突出部の各々は前記複数の第２突出部の内の一つの第２突出部と位置合わせしており、前記第４突出部の各々は前記複数の第１突出部の内の一つの第１突出部と位置合わせしていることを特徴とする冷陰極フラット型蛍光ランプのパターン電極。
【請求項１９】
前記アノードペアの各々の、同一の極性の電極である前記第１蛇行アノードと前記第２蛇行アノードとの間の間隔は、約１ｍｍから約３ｍｍであることを特徴とする請求項１８に記載の冷陰極フラット型蛍光ランプのパターン電極。
【請求項２０】
前記カソードペアの各々の、同一の極性の電極である前記第１蛇行カソードと前記第２蛇行カソードとの間の間隔は、約１ｍｍから約３ｍｍであることを特徴とする請求項１８または１９に記載の冷陰極フラット型蛍光ランプのパターン電極。
【請求項２１】
異なる極性の電極の前記第２突出部と第３突出部との間の間隔と、異なる極性の電極の前記第１突出部と第４突出部との間の間隔とは、約４ｍｍから約８ｍｍであることを特徴とする請求項１８乃至２０のいずれか一つに記載の冷陰極フラット型蛍光ランプのパターン電極。
【請求項２２】
前記第１突出部、前記第２突出部、前記第３突出部、および前記第４突出部の突出高さは、約０．５ｍｍから約２ｍｍであることを特徴とする請求項１８乃至２１のいずれか一つに記載の冷陰極フラット型蛍光ランプのパターン電極。
【請求項２３】
前記第１突出部、前記第２突出部、前記第３突出部、および前記第４突出部のそれぞれは、等間隔で配置されていることを特徴とする請求項１８乃至２２のいずれか一つに記載の冷陰極フラット型蛍光ランプのパターン電極。
【請求項２４】
前記第１突出部、前記第２突出部、前記第３突出部、および前記第４突出部のそれぞれの間隔は、約３ｍｍから約６ｍｍであることを特徴とする請求項２３に記載の冷陰極フラット型蛍光ランプのパターン電極。
【請求項２５】
前記第１突出部、前記第２突出部、前記第３突出部、および前記第４突出部のそれぞれは、異なる間隔で配置されていることを特徴とする請求項１８乃至２２のいずれか一つに記載の冷陰極フラット型蛍光ランプのパターン電極。
【請求項２６】
第１部分における前記第１突出部、前記第２突出部、前記第３突出部、および前記第４突出部のそれぞれの間隔は、約３ｍｍから約６ｍｍであり、第２部分における前記第１突出部、前記第２突出部、前記第３突出部、および前記第４突出部のそれぞれの間隔は、約２ｍｍから約４ｍｍであることを特徴とする請求項２５に記載の冷陰極フラット型蛍光ランプのパターン電極。
【請求項２７】
前記第１突出部、前記第２突出部、前記第３突出部、および前記第４突出部のそれぞれの電極機能幅は、約０．５ｍｍから約２ｍｍであることを特徴とする請求項１８乃至２６のいずれか一つに記載の冷陰極フラット型蛍光ランプのパターン電極。
【請求項２８】
前記第１突出部、前記第２突出部、前記第３突出部、および前記第４突出部のそれぞれの電極開口最大幅は、約１ｍｍから約４ｍｍであることを特徴とする請求項１８乃至２７のいずれか一つに記載の冷陰極フラット型蛍光ランプのパターン電極。
【請求項２９】
前記アノードペアおよび前記カソードペアの端部に結合した複数の縁部突出部をさらに備え、前記縁部突出部の突出高さは、前記第１突出部、前記第２突出部、前記第３突出部、および前記第４突出部の突出高さよりも高いことを特徴とする請求項１８乃至２８のいずれか一つに記載の冷陰極フラット型蛍光ランプのパターン電極。
【請求項３０】
前記縁部突出部の前記突出高さは、約１ｍｍから約３ｍｍであることを特徴とする請求項２９に記載の冷陰極フラット型蛍光ランプのパターン電極。
【請求項３１】
前記アノードペアの各々に電気的に接続されたアノード接続線と、前記カソードペアの各々に電気的に接続されたカソード接続線とをさらに備え、前記アノード接続線と前記カソード接続線とは、前記アノードペアと前記カソードペアとのそれぞれの両端に設けられていることを特徴とする請求項１８乃至３０のいずれか一つに記載の冷陰極フラット型蛍光ランプのパターン電極。
【発明の詳細な説明】
【技術分野】
【０００１】
本発明は、冷陰極フラット型蛍光ランプ（ＣＣＦＦＬ）に関し、特に、ＣＣＦＦＬのパターン電極に関するものである。
【背景技術】
【０００２】
技術の進歩に伴い、携帯電話、デジタルカメラ、デジタルビデオカメラ、ノート型パソコンやデスクトップ型パソコン等のデジタル機器は発達して、便利で多面的な機能や魅力的なデザインを有するようになった。このような携帯電話、デジタルカメラ、デジタルビデオカメラ、ノート型パソコンやデスクトップ型パソコン等に設けられたディスプレイモニタは、ユーザと機器との間での不可欠なインターフェースであり、該ディスプレイモニタを通じてユーザはその機器を便利に使用することができる。
【０００３】
近年では、携帯電話、デジタルカメラ、デジタルビデオカメラ、ノート型パソコンやデスクトップ型パソコン等のディスプレイモニタは液晶ディスプレイ（ＬＣＤ）パネルであるが、これは自己発光体ではない。そのため液晶ディスプレイパネルでは、該ＬＣＤパネルの下部にバックライトモジュールを配置して光源を設けることで、表示を行うというその目的を達成している。
【０００４】
冷陰極フラット型蛍光ランプ（ＣＣＦＦＬ）は、良好な発光効率や発光均一性、および大型の光源を提供可能な能力を有していることから、ＬＣＤパネルのバックライトモジュールや他の分野に幅広く適用されている。このＣＣＦＦＬはプラズマ発光デバイスであり、陰極から電子を放出して、該電子をフラット型ランプチャンバ内の陰極と陽極との間の不活性ガスと衝突させることで、その不活性ガスを電離・励起させてプラズマを発生させる。この励起されたプラズマの原子は紫外線（ＵＶ）光を放射して基底状態に戻り、放射されたＵＶ光がＣＣＦＦＬ内の蛍光体を励起することで可視光を発生させる。
【０００５】
図１は、従来のＣＣＦＦＬを示す概略図である。図１を参照すると、従来のＣＣＦＦＬは、フラット型ランプチャンバ１００と、蛍光体１０２と、放電ガス１０４と、パターン電極１０６と、誘電体層１０８とを備える。フラット型ランプチャンバ１００は、平面基板１００ａおよび１００ｂと、縁部ストライプ１００ｃとを具備する。この縁部ストライプ１００ｃは、平面基板１００ａと１００ｂとの間に設けられており、その平面基板１００ａと１００ｂとの縁部を結合して密封されたチャンバを形成している。
【０００６】
図１を参照すると、従来のパターン電極１０６の材質は通常銀であり、該パターン電極１０６は平面基板１００ａ上に設けられている。通常、誘電体層１０８はパターン電極１０６を覆い、該パターン電極１０６をイオン衝突による損傷から保護している。また、この図１から、パターン電極１０６とその上の誘電体層１０８とは、フラット型ランプチャンバ１００の内壁上にあることが分かる。
【０００７】
放電ガス１０４は、該フラット型ランプチャンバ１００内に注入され、通常、該放電ガス１０４はＸｅ、Ｎｅ、Ａｒまたは他の不活性ガスである。蛍光体１０２は、例えば誘電体層１０８によって覆われていない、例えば平面基板１００ｂの表面上、誘電体層１０８の表面上および平面基板１００ａの表面上等の、フラット型ランプチャンバ１００の内壁の上に設けられている。
【発明の開示】
【発明が解決しようとする課題】
【０００８】
ＣＣＦＦＬを点灯させる場合、パターン電極１０６から放出された電子をフラット型ランプチャンバ１００内の放電ガス１０４と衝突させ、この放電ガス１０４を電離させることでプラズマを発生させる。励起されたプラズマの原子はＵＶ光を放射して基底状態に戻り、該放射されたＵＶ光が、フラット型ランプチャンバ１００の内壁上の蛍光体を励起することにより可視光が発せられる。
【０００９】
しかしながら、上記した発光メカニズムにおいて、プラズマの高エネルギーイオンが誘電体層１０８を透過して、パターン電極１０６を損傷する可能性がある。その結果、ＣＣＦＦＬの寿命が大幅に低下してしまう虞がある。
【００１０】
図２は、従来のＣＣＦＦＬのパターン電極を示す概略図である。図２を参照すると、従来のＣＣＦＦＬのパターン電極は、複数の蛇行アノード２１０と、複数の蛇行カソード２２０とを備える。この蛇行アノード２１０と蛇行カソード２２０とは正弦波形のデザインを有しているので、蛇行アノード２１０と蛇行カソード２２０とは、理想的には発光域２３０ａおよび２３０ｂにおいてプラズマを発生させる。
【００１１】
しかしながら、該発光域２３０ａおよび２３０ｂは同一の蛇行カソード２２０によって駆動されるので、発光域２３０ａは点灯するが、他方、発光域２３０ｂは点灯しない。すなわち、同一の蛇行カソード２２０または同一の蛇行アノード２１０を共用することは、通常、蛇行カソード２２０または蛇行アノード２１０の両側のうちの片側のみが点灯することを意味する。結果として、ＣＣＦＦＬ上に明暗の模様が出現して、これにより光源の均一性が悪化してしまう可能性がある。
【００１２】
そこで本発明の目的は、効果的に光源の均一性を向上させることが可能な冷陰極フラット型蛍光ランプ（ＣＣＦＦＬ）と、冷陰極フラット型蛍光ランプのパターン電極とを提供することにある。
【課題を解決するための手段】
【００１３】
上記した課題を解決するために、本発明は冷陰極フラット型蛍光ランプを提供するものである。この冷陰極フラット型蛍光ランプは、フラット型ランプチャンバと、放電ガスと、蛍光体と、パターン電極とを備える。前記放電ガスは前記フラット型ランプチャンバ内に入れられており、前記蛍光体は前記フラット型ランプチャンバの内壁上に配置されている。前記パターン電極は、例えば印刷法により前記フラット型ランプチャンバの内表面上または外表面上に形成することができる。また、前記パターン電極は、前記フラット型ランプチャンバの前記外表面に取り付けられたフレキシブルプリント回路（ＦＰＣ）とすることができる。
【００１４】
本発明の実施例によれば、前記パターン電極はアノードペア（複数の一対の陽極）とカソードペア（複数の一対の陰極）とを備え、前記アノードペアとカソードペアとは交互に配置されている。前記アノードペアの各々は、複数の第１突出部を有する第１蛇行アノードと、複数の第２突出部を有する第２蛇行アノードとを備え、前記第１突出部と前記第２突出部とはずらされている。前記カソードペアの各々は、複数の第３突出部を有する第１蛇行カソードと、複数の第４突出部を有する第２蛇行カソードとを備えている。前記第３突出部の各々は前記複数の第２突出部の内の一つの第２突出部と位置合わせしており、前記第４突出部の各々は前記複数の第１突出部の内の一つの第１突出部と位置合わせしている。
【００１５】
また、本発明は冷陰極フラット型蛍光ランプのパターン電極を提供するものである。この冷陰極フラット型蛍光ランプのパターン電極は、交互に配置されたアノードペア（複数の一対の陽極）とカソードペア（複数の一対の陰極）とを備えている。
【００１６】
前記アノードペアの各々は、複数の第１突出部を有する第１蛇行アノードと、複数の第２突出部を有する第２蛇行アノードとを備え、前記第１突出部と前記第２突出部とはずらされている。前記カソードペアの各々は、複数の第３突出部を有する第１蛇行カソードと、複数の第４突出部を有する第２蛇行カソードとを備えている。前記第３突出部の各々は前記複数の第２突出部の内の一つの第２突出部と位置合わせしており、前記第４突出部の各々は前記複数の第１突出部の内の一つの第１突出部と位置合わせしている。
【００１７】
本発明の実施例によれば、前記パターン電極は、アノード接続線とカソード接続線とをさらに備える。前記アノード接続線は、前記アノードペアの各々に電気的に接続されており、前記カソード接続線は、前記カソードペアの各々に電気的に接続されている。また、前記アノード接続線と前記カソード接続線とは、前記アノードペアと前記カソードペアとのそれぞれの両端に設けられている。
【００１８】
本発明の上記および他の特徴は、添付図面と関連する以下の本発明の詳細な説明からより一層理解することができる。
【発明の効果】
【００１９】
本発明によれば、前記アノードペアと前記カソードペアとが交互に配置されているので、各アノードペアとカソードペアとの両側での発光域は効率的な発光を有することになる。したがって、均一な発光を得ることができ、効果的に光源の均一性を向上させることが可能な冷陰極フラット型蛍光ランプ（ＣＣＦＦＬ）および冷陰極フラット型蛍光ランプのパターン電極を提供することができる。
【発明を実施するための最良の形態】
【００２０】
以下、本発明を図１乃至図６に示した実施例に沿って詳細に説明する。
【実施例１】
【００２１】
図３は、本発明の実施例に係る冷陰極フラット型蛍光ランプ（ＣＣＦＦＬ）を示す概略図である。
【００２２】
図３を参照すると、本発明の冷陰極フラット型蛍光ランプは、フラット型ランプチャンバ３００と、蛍光体３０２と、放電ガス３０４と、パターン電極３０６とを備える。
【００２３】
本実施例では、フラット型ランプチャンバ３００の材料は、例えばガラスとすることができる。詳細には、フラット型ランプチャンバ３００は、例えば平面基板３００ａと、平面基板３００ｂと、複数の縁部ストライプ３００ｃとを備え、平面基板３００ｂは平面基板３００ａの上に設けられている。縁部ストライプ３００ｃは、平面基板３００ａと３００ｂとの間に設けられ、且つその平面基板３００ａと３００ｂとの縁部を結合している。なお、フラット型ランプチャンバ３００の構成はこれらのみに限定されるものではなく、当業者であればフラット型ランプチャンバ３００は他の構成を含んでも良いということが理解されよう。
【００２４】
本実施例では、平面基板３００ａの厚さは、例えば、約０．３ｍｍから約１．１ｍｍである。平面基板３００ａと平面基板３００ｂとの間の間隔は、例えば、約０．５ｍｍから約５．０ｍｍとすることができる。
【００２５】
また、この実施例では、蛍光体３０２はフラット型ランプチャンバ３００の内壁上に設けられている。この蛍光体３０２は、通常、平面基板３００ａおよび３００ｂの表面の上に設けられている。
【００２６】
放電ガス３０４はフラット型ランプチャンバ３００内に設けられており、この放電ガス３０４は、例えば、Ｘｅ、Ｎｅ、またはＡｒとすることができる。
【００２７】
図４および図５は、本発明の実施例に係る冷陰極フラット型蛍光ランプのパターン電極を示す概略図である。
【００２８】
図４を参照すると、本発明のパターン電極４００は、複数の一対の陽極（以下、アノードペアと称する）４１０と、複数の一対の陰極（以下、カソードペアと称する）４２０とを備え、このアノードペア４１０とカソードペア４２０とは交互に配置されている。
【００２９】
アノードペア４１０の各々は、複数の第１突出部Ｐ１を有する第１蛇行アノード４１２と、複数の第２突出部を有する第２蛇行アノード４１４とを備えている。この第１突出部Ｐ１と第２突出部Ｐ２とは、互いにずらして配置されている。
【００３０】
また、カソードペア４２０の各々は、複数の第３突出部Ｐ３を有する第１蛇行カソード４２２と、複数の第４突出部Ｐ４を有する第２蛇行カソード４２４とを備え、第３突出部Ｐ３と第４突出部Ｐ４とは、互いにずらして配置されている。
【００３１】
ここで注目すべき点として、カソードペア４２０の第３突出部Ｐ３の各々は、アノードペア４１０の第２突出部Ｐ２の内の一つと位置合わせしており、カソードペア４２０の第４突出部Ｐ４の各々は、アノードペア４１０の第１突出部Ｐ１の内の一つと位置合わせしている。
【００３２】
詳細には、カソードペア４２０の第３突出部Ｐ３と、アノードペア４１０の第２突出部Ｐ２との間の領域は発光域４５０ａであり、カソードペア４２０の第４突出部Ｐ４と、アノードペア４１０の第１突出部Ｐ１との間の領域は発光域４５０ｂであり、この発光域４５０ａおよび４５０ｂは、異なる陰極と陽極とによって駆動される。
【００３３】
これにより、冷陰極フラット型蛍光ランプが発光する際、陽極または陰極が共通することに起因する明暗の模様が発生することがない。また、光源の均一性も大幅に向上する。
【００３４】
本実施例では、第１突出部Ｐ１、第２突出部Ｐ２、第３突出部Ｐ３、および第４突出部Ｐ４を含む、すべての突出部を等間隔に配置することができる。勿論、これら突出部は、その位置に応じて異なる間隔で配置することも可能である。
【００３５】
図４および図５を参照すると、冷陰極フラット型蛍光ランプの縁部に近接した第１突出部Ｐ１、第２突出部Ｐ２、第３突出部Ｐ３、および第４突出部Ｐ４は、比較的小さなスペース（距離）で設けられている。
【００３６】
本実施例では、冷陰極フラット型蛍光ランプの縁部（第２部分）に近接した第１突出部Ｐ１、第２突出部Ｐ２、第３突出部Ｐ３、および第４突出部Ｐ４を含む、すべての突出部の間隔Ｉ２は、例えば約２ｍｍから約４ｍｍとすることができ、その好ましい間隔は約３ｍｍである。また、冷陰極フラット型蛍光ランプの中央部（第１部分）に近接したすべての突出部の間隔Ｉ１は、例えば約３ｍｍから約６ｍｍとすることができ、その好適な間隔は約４．４ｍｍである。
【００３７】
この実施例では、比較的高い突出部分を有する縁部突出部Ｐ５とＰ６とがアノードペア４１０およびカソードペア４２０の端部に形成されて、光源の均一性の向上を図っている。すなわち、縁部突出部Ｐ５およびＰ６の突出高さＤ２は、第１突出部Ｐ１、第２突出部Ｐ２、第３突出部Ｐ３、および第４突出部Ｐ４の突出高さＤ１よりも高くなっている。
【００３８】
この発明の実施例では、第１突出部Ｐ１、第２突出部Ｐ２、第３突出部Ｐ３、および第４突出部Ｐ４の突出高さＤ１は、例えば約０．５ｍｍから約２ｍｍとすることができ、その好ましい高さは約１ｍｍである。また、縁部突出部Ｐ５およびＰ６の突出高さＤ２は、例えば約１ｍｍから約３ｍｍとすることができ、その好適な高さは約２ｍｍである。
【００３９】
また本実施例では、異なる極性の電極の第１突出部Ｐ１と第４突出部Ｐ４との間の間隔Ｗ１は、例えば約４ｍｍから約８ｍｍとすることができ、その間隔は約６．３ｍｍであることが好ましい。異なる極性電極の第２突出部Ｐ２と第３突出部Ｐ３との間の間隔Ｗ２は、例えば約４ｍｍから約８ｍｍとすることができ、その間隔は約６．３ｍｍが好適である。
【００４０】
さらに、異なる極性電極の縁部突出部Ｐ５と縁部突出部Ｐ６との間の間隔Ｗ３は、例えば約３ｍｍから約５ｍｍである。その好適な間隔は約４ｍｍである。
【００４１】
図４、図５を参照すると、同一のアノードペア４１０において、同じ極性の電極である第１蛇行アノード４１２と第２蛇行アノード４１４との間の間隔Ｓ１は、例えば約１ｍｍから３ｍｍとすることができ、その間隔は約２ｍｍであることが好ましい。また、同一のカソードペア４２０において、同じ極性電極である第１蛇行カソード４２２と第２蛇行カソード４２４との間の間隔Ｓ２は、例えば約１ｍｍから３ｍｍとすることができる。その好ましい間隔は約２ｍｍである。
【００４２】
本実施例において、第１突出部Ｐ１、第２突出部Ｐ２、第３突出部Ｐ３、および第４突出部Ｐ４の電極機能幅Ｅ１は、例えば約０．５ｍｍから約２ｍｍとすることができ、その幅は好ましくは約１ｍｍである。
【００４３】
また、第１突出部Ｐ１、第２突出部Ｐ２、第３突出部Ｐ３、および第４突出部Ｐ４の電極開口最大幅Ｅ２は、例えば約１ｍｍから約４ｍｍとすることができ、その幅は約３ｍｍであることが好ましい。
【００４４】
本発明のパターン電極４００は、さらに、例えば各アノードペア４１０を接続するアノード接続線４３０と、各カソードペア４２０を接続するカソード接続線４４０とを備える。このアノード接続線４３０およびカソード接続線４４０は、アノードペア４１０とカソードペア４２０とのそれぞれの両端に設けられている。
【００４５】
ここで、本発明のパターン電極４００は、フラット型ランプチャンバ３００の内表面上または外表面上に形成可能であることに注目すべきである。
【００４６】
詳細には、パターン電極４００は、例えば印刷法または他の厚膜法により該フラット型ランプチャンバ３００の内表面上に形成された銀電極あるいは銅電極とすることができる。勿論、該パターン電極４００は、例えば印刷法または他の薄膜法によってフラット型ランプチャンバ３００の外表面上に形成された銀電極あるいは銅電極とすることもできる。
【００４７】
また、本発明のパターン電極４００は、例えばフレキシブル基板上に形成された銀電極または銅電極とすることができる。すなわち、本発明のパターン電極４００はフレキシブルプリント回路（ＦＰＣ）とすることができ、これによりフラット型ランプチャンバ３００の外表面に容易に取り付けることが可能となる。
【００４８】
以上のように、本発明の冷陰極フラット型蛍光ランプおよびそのパターン電極によれば、アノードペア４１０の各々は、複数の第１突出部Ｐ１を有する第１蛇行アノード４１２と、複数の第２突出部を有する第２蛇行アノード４１４とを備え、第１突出部Ｐ１と第２突出部Ｐ２とは、互いにずらして配置されている。また、カソードペア４２０の各々は、複数の第３突出部Ｐ３を有する第１蛇行カソード４２２と、複数の第４突出部Ｐ４を有する第２蛇行カソード４２４とを備え、第３突出部Ｐ３と第４突出部Ｐ４とは、互いにずらして配置されている。
【００４９】
さらに、カソードペア４２０の第３突出部Ｐ３の各々は、アノードペア４１０の第２突出部Ｐ２の内の一つと位置合わせしており、カソードペア４２０の第４突出部Ｐ４の各々は、アノードペア４１０の第１突出部Ｐ１の内の一つと位置合わせしている。
【００５０】
そして、カソードペア４２０の第３突出部Ｐ３と、アノードペア４１０の第２突出部Ｐ２との間の領域は発光域４５０ａであり、カソードペア４２０の第４突出部Ｐ４と、アノードペア４１０の第１突出部Ｐ１との間の領域は発光域４５０ｂであり、この発光域４５０ａおよび４５０ｂは、異なる陰極と陽極とによって駆動される。
【００５１】
そのため、冷陰極フラット型蛍光ランプが発光する際、陽極または陰極が共用されることに起因する明暗の模様が発生することがない。したがって、本発明のパターン電極は、冷陰極フラット型蛍光ランプの放電域における明暗の模様を防止することができ、これにより各発光域を点灯させ、光源の均一性をも向上させることが可能である（１）。
【００５２】
また、本発明のパターン電極はフレキシブルプリント回路（ＦＰＣ）として形成可能であるので、そのＦＰＣとしてのパターン電極は、フラット型ランプチャンバとは別個に形成することができる。そのため、歩留まりが向上して製造コストが低減される（２）。
【００５３】
さらに、パターン電極が冷陰極フラット型蛍光ランプの外表面上に形成された場合、そのフラット型ランプチャンバの外部のパターン電極は、該フラット型ランプチャンバの内部でプラズマを発生させる。その励起されたプラズマの原子は外部のパターン電極を損傷することがないので、これにより冷陰極フラット型蛍光ランプの寿命を向上させることが可能となる（３）。
【００５４】
以上、本発明に係る冷陰極フラット型蛍光ランプおよびそのパターン電極によれば、少なくとも上記（１）乃至（３）の優れた効果を得ることができる。
【実施例２】
【００５５】
次に本発明の第２実施例を、図６を参照して説明する。なお、上述の実施例と同一乃至均等な部分については本実施例では同一符号を付してその説明を省略する。
【００５６】
図６は、本発明の第２実施例に係るパターン電極を示す概略図である。
【００５７】
図６を参照すると、例えば本実施例のアノード接続線４３０は副接続線４３０ａと４３０ｂとを備え、カソード接続線４４０は副接続線４４０ａと４４０ｂとを備える。これにより、冷陰極フラット型蛍光ランプを異なる副接続線４３０ａ、４３０ｂ、４４０ａ、および４４０ｂを介して駆動することが可能となる。
【００５８】
この実施例によれば、このようなアノード接続線４３０およびカソード接続線４４０のデザインは大型の冷陰極フラット型蛍光ランプに適用可能である。すなわち、副接続線４３０ａ、４３０ｂ、４４０ａ、および４４０ｂに接続されたインバータを介して冷陰極フラット型蛍光ランプを個別に駆動することができる。
【００５９】
以上、本発明を例示的な実施例の観点から説明したが、本発明はこれらに限定されるものではない。むしろ、添付の特許請求の範囲は、本発明の均等物の範囲や領域から逸脱することなく当業者によって成される可能性のある本発明の他の変形例や実施例を包含するよう、広く解釈されなくてはならない。
【図面の簡単な説明】
【００６０】
【図１】従来の冷陰極フラット型蛍光ランプ（ＣＣＦＦＬ）を示す概略図である。
【図２】従来のＣＣＦＦＬのパターン電極を示す概略図である。
【図３】本発明の実施例に係る冷陰極フラット型蛍光ランプ（ＣＣＦＦＬ）を示す概略図である。
【図４】本発明の実施例に係る冷陰極フラット型蛍光ランプのパターン電極を示す概略図である。
【図５】本発明の実施例に係る冷陰極フラット型蛍光ランプのパターン電極を示す概略図である。
【図６】本発明の別の実施例に係るパターン電極を示す概略図である。
【符号の説明】
【００６１】
３００  フラット型ランプチャンバ
３０２  蛍光体
３０４  放電ガス
３０６  パターン電極
４００  パターン電極
４１０  アノードペア
４１２  第１蛇行アノード
４１４  第２蛇行アノード
４２０  カソードペア
４２２  第１蛇行カソード
４２４  第２蛇行カソード
４３０  アノード接続線
４４０  カソード接続線
４５０ａ  発光域
４５０ｂ  発光域
Ｐ１  第１突出部
Ｐ２  第２突出部
Ｐ３  第３突出部
Ｐ４  第４突出部
Ｐ５  縁部突出部
Ｐ６  縁部突出部
【図１】
2006032330.tif 000003
【図２】
2006032330.tif 000004
【図３】
2006032330.tif 000005
【図４】
2006032330.tif 000006
【図５】
2006032330.tif 000007
【図６】
2006032330.tif 000008